(57)【特許請求の範囲】
【請求項１】
電線の端末部に固着された端子金具を収容するための端子収容室が複数室形成された合成樹脂製のハウジングと、
前記端子収容室と個別に対応するように設けられた複数の筒状部を有して前記端子収容室と連通するように前記ハウジングに形成された嵌合筒部と、
前記電線に外嵌した状態で前記嵌合筒部の内部に嵌合されることで、前記端子収容室への液体の浸入を防ぐゴム栓と、
前記嵌合筒部内に収容され、前記ゴム栓が前記ハウジングから離脱することを防止するリテーナと、
前記リテーナの外周と前記嵌合筒部の内周に形成され、互いに係止することで前記リテーナが前記嵌合筒部から離脱することを規制する係止部と、
前記嵌合筒部の外周面を覆うシールド筒部が形成されたシールドシェルと、
前記シールド筒部に形成され、前記嵌合筒部の外周面に近接して配されることで前記嵌合筒部の拡径変形を規制する変形規制部とを備え、
前記変形規制部が、すべての前記筒状部に対し、各筒状部の外周面に沿うような弧状をなしていることを特徴とする防水コネクタ。
【請求項２】
前記シールドシェルが、前記ハウジングに対して後方から組み付けられるものであり、
前記嵌合筒部の外面に、前記シールドシェルの後端に後方から係止する爪部が設けられていることを特徴とする請求項１に記載の防水コネクタ。
【請求項３】
前記変形規制部は、前記シールド筒部の開口縁に沿って内側に突出する形状をなして設けられていることを特徴とする請求項１または請求項２に記載の防水コネクタ。
【請求項４】
前記変形規制部は、前記嵌合筒部の外周面のうち前記係止部に近接した位置に配されることを特徴とする請求項１ないし請求項３のいずれか一項に記載の防水コネクタ。
【請求項５】
前記嵌合筒部のうち前記ゴム栓が嵌合するゴム栓嵌合部は、前記端子収容室に個別に対応するように分けて設けられ、
前記係止部および前記変形規制部は、複数の前記ゴム栓嵌合部に対応して設けられていることを特徴とする請求項１ないし請求項４のいずれか一項に記載の防水コネクタ。
【発明の詳細な説明】
【技術分野】
【０００１】
本発明は、防水コネクタに関する。
【背景技術】
【０００２】
従来、電線の端末部に固着された端子金具が収容されるハウジングを有し、ハウジングに設けられた筒状をなす部分の内側に、電線とハウジングとの間をシールするゴム栓、およびハウジングからゴム栓が離脱することを防止するリテーナが嵌着される防水コネクタが知られている。
【０００３】
例えば下記特許文献１に記載の防水コネクタは、端子金具が収容されるキャビティがハウジングの内部に複数形成され、電線に外嵌されたゴム栓は各キャビティの後端部に弾性的に押し潰されるようにして嵌め込まれ水密状に嵌着される。リテーナは、複数のキャビティの後方に連通して設けられたリテーナ取付け空間に嵌着され、リテーナの外周面に形成された突起が、リテーナ取付け空間の周面に形成された係止孔に係合することで、ハウジングからの離脱が防止される。
【先行技術文献】
【特許文献】
【０００４】
【特許文献１】特開２００１−６０４７５号公報
【発明の概要】
【発明が解決しようとする課題】
【０００５】
ところで、上記のような防水コネクタにおいては、電線の径寸法が大きい場合等には特に、ハウジングのうちゴム栓が内嵌している筒状をなす部分が、ゴム栓の弾発力を受けて拡がるように変形することが懸念される。ゴム栓が内嵌している部分が変形すると、その後側に嵌着されたリテーナとハウジングとの係止部における係り代が小さくなり、リテーナがハウジングから外れやすくなる虞があるため対策が望まれていた。
【０００６】
本発明は上記のような事情に基づいて完成されたものであって、ハウジングのうちゴム栓が内嵌している筒状をなす部分が、ゴム栓の弾発力を受けて拡がるように変形することに起因して、リテーナとハウジングとの係止部における係り代が小さくなってリテーナがハウジングから外れやすくなることを防ぐことが可能な防水コネクタを提供することを目的とする。
【課題を解決するための手段】
【０００７】
本発明の防水コネクタは、
電線の端末部に固着された端子金具を収容するための端子収容室が複数室形成された合成樹脂製のハウジングと、
前記端子収容室と連通するように前記ハウジングに形成された嵌合筒部と、
前記電線に外嵌した状態で前記嵌合筒部の内部に嵌合されることで、前記端子収容室への液体の浸入を防ぐゴム栓と、
前記嵌合筒部内に収容され、前記ゴム栓が前記ハウジングから離脱することを防止するリテーナと、
前記リテーナの外周と前記嵌合筒部の内周に形成され、互いに係止することで前記リテーナが前記嵌合筒部から離脱することを規制する係止部と、
前記嵌合筒部の外周面を覆うシールド筒部が形成されたシールドシェルと、
前記シールド筒部に形成され、前記嵌合筒部の外周面に近接して配されることで前記嵌合筒部の拡径変形を規制する変形規制部とを備え、
前記変形規制部が、すべての前記筒状部に対し、各筒状部の外周面に沿うような弧状をなしているているところに特徴を有する。
【発明の効果】
【０００８】
このような構成によれば、ハウジングのうちゴム栓が内嵌している嵌合筒部が、ゴム栓により拡径変形するような弾発力を受けても、嵌合筒部の拡径変形はシールドシェルの変形規制部によって防止される。したがって、リテーナとハウジングとの係止部における係り代が小さくなってリテーナがハウジングから外れやすくなることを防ぐことができる。
【図面の簡単な説明】
【０００９】
【図１】実施例１における防水コネクタを示す斜視図
【図２】防水コネクタを示す背面図
【図３】防水コネクタを示す断面図
【図４】変形規制部が係止凹部に近接して配された状態を示す防水コネクタの一部拡大断面図
【図５】ハウジングを示す斜視図
【図６】ゴム栓、リテーナおよび電線の端末部に固着された端子金具を示す斜視図
【図７】シールドシェルを示す斜視図
【図８】シールドシェルを示す背面図
【発明を実施するための形態】
【００１０】
（１）本発明の防水コネクタは、前記変形規制部は、前記シールド筒部の開口縁に沿って内側に突出する形状をなして設けられているものとしてもよい。このような構成によれば、変形規制部がシールドシェルを補強する機能を発揮して、シールド筒部の開口縁の強度を増強するから、変形規制部自体の変形も規制される。
【００１１】
（２）本発明の防水コネクタは、前記変形規制部は、前記嵌合筒部の外周面のうち前記係止部に近接した位置に配されるものとしてもよい。このような構成によれば、嵌合筒部のうち係止部付近の変形が直接的に防止されるから、リテーナとハウジングとの係止部における係り代が小さくなることを、より確実に防ぐことができる。
【００１２】
（３）本発明の防水コネクタは、複数室の前記端子収容室が設けられ、前記嵌合筒部のうち前記ゴム栓が嵌合するゴム栓嵌合部は、前記端子収容室に個別に対応するように分けて設けられ、前記係止部および前記変形規制部は、複数の前記ゴム栓嵌合部に対応して設けられているものとしてもよい。このような構成によれば、各ゴム栓嵌合部において嵌合筒部の変形が防止されるから、各ゴム栓嵌合部に対応して設けられた係止部における係り代が小さくなることを効果的に防ぐことができ、ハウジングからリテーナが外れることを確実に防止できる。
【００１３】
＜実施例１＞
以下、本発明を具体化した一実施例について、図１〜図８を参照しつつ詳細に説明する。
【００１４】
＜防水コネクタＣの全体構成＞
本実施例１の防水コネクタＣは、電線１０の端末部に固着された端子金具１１が収容される端子収容室２１が設けられたハウジング２０と、電線１０とハウジング２０とに密着することで端子収容室２１への液体の浸入を防ぐゴム栓３０と、ゴム栓３０の後側に位置してゴム栓３０がハウジング２０から離脱することを防止するリテーナ４０と、ハウジング２０を覆うシールドシェル６０とを有するものである。以下、各構成部材において、図示しない相手側コネクタとの嵌合面側（図１の右下側）を前方、その反対側を後方とし、また図１の上側を上方、下側を下方として説明する。
【００１５】
＜ハウジング２０＞
ハウジング２０は合成樹脂製であり、図５に示すように、全体として横長の扁平な形状をなしている。ハウジング２０の内部には、その後方から端子金具１１を収容するための複数室（本実施例では３室）の端子収容室２１が、幅方向（左右方向）に並ぶように設けられている。各端子収容室２１には、挿入された端子金具１１に係止してその抜け止めを図るランス２２が設けられている（図３参照）。
【００１６】
ハウジング２０の前後方向における略中央部には、図５に示すように、全周に亘って外側に張り出すようにしてフランジ部２３が設けられている。ハウジング２０のうちフランジ部２３よりも前側の部分は、相手側コネクタと嵌合するコネクタ嵌合部２４とされている。コネクタ嵌合部２４の外周面には、相手側コネクタとの間をシールするシールリング２５が嵌着される（図３参照）。
【００１７】
ハウジング２０のうちフランジ部２３よりも後側には、図３に示すように、ゴム栓３０およびリテーナ４０が内側に嵌合可能な嵌合筒部２６が設けられている。嵌合筒部２６は、図５に示すように、３室の端子収容室２１と個別に対応するように並列配置された３つの筒状部２７を有する。各筒状部２７は、端子収容室２１の後端側部分を構成し、筒状部２７内には、端子金具１１のうち電線１０の端末部に圧着されたバレル部１２が収容される。
【００１８】
嵌合筒部２６は、端子収容室２１及び筒状部２７と個別に対応する３つゴム栓嵌合部２６Ａを備えている。各ゴム栓嵌合部２６Ａは、円筒形をなし、筒状部２７の後端部を構成している。各ゴム栓嵌合部２６Ａ内には、夫々、ゴム栓３０が嵌合されている。
【００１９】
嵌合筒部２６は、ゴム栓嵌合部２６Ａの後方に隣接するリテーナ嵌合部２６Ｂとを備えている。リテーナ嵌合部２６Ｂは、ゴム栓嵌合部２６Ａと同軸状に対応する略円形空間を互いに連通させた横長非円形の筒状をなしている。リテーナ嵌合部２６Ｂの内部空間は、全て（３つ）のゴム栓嵌合部２６Ａ（筒状部２７）と連通している。リテーナ嵌合部２６Ｂの内部空間にはリテーナ４０が嵌合（収容）される。リテーナ嵌合部２６Ｂの内周面には、係止部５０を構成する３対の係止凹部５０Ａが、３つのゴム栓嵌合部２６Ａと対応するように設けられている（図３参照）。各対の係止凹部５０Ａは、リテーナ嵌合部２６Ｂの上面側と下面側とに分かれて配置されている。係止凹部５０Ａは、各ゴム栓嵌合部２６Ａ（筒状部２７）の幅方向における略中央に位置して設けられている（図５参照）。
【００２０】
係止凹部５０Ａは、幅方向に若干長い長方形状をなしていて、嵌合筒部２６を内周側から外周側へ上下方向に貫通する孔である。すべての係止凹部５０Ａは、略同形とされてる。各係止凹部５０Ａの後方には、図３に示すように、リテーナ嵌合部２６Ｂにリテーナ４０を嵌合する際に、リテーナ４０に設けられた係止凸部５０Ｂを係止凹部５０Ａに誘い込むための誘い込み面５１が設けられている。誘い込み面５１は、リテーナ嵌合部２６Ｂの後端に向かって外側に開く傾斜をなしている。
【００２１】
ハウジング２０には、図５に示すように、シールドシェル６０の後端に係止することでシールドシェル６０がハウジング２０から離脱するのを規制するための複数（本実施例では４つ）の爪部２８が設けられている。爪部２８は、嵌合筒部２６の上面側と下面側とに一対ずつ配置されている。爪部２８は、フランジ部２３から片持ち状をなして後方に延出する延出部２９の後端に設けられている。爪部２８は、嵌合筒部２６の後端よりも後方に突出している。延出部２９は、上面および下面が略水平をなす薄い平板状をなし、上下方向（嵌合筒部２６の内外方向）に弾性変形可能とされている。
【００２２】
嵌合筒部２６の上面側に設けられた爪部２８は、延出部２９の上面に突設され、嵌合筒部２６の上端よりも上方に位置している。嵌合筒部２６の下面側に設けられた爪部２８は、延出部２９の下面に突設され、嵌合筒部２６の下端よりも下方に位置している。各爪部２８の後面には、シールドシェル６０を後方からハウジング２０に組み付ける際に、シールドシェル６０が爪部２８に当接して延出部２９がスムーズに弾性撓みすることを誘導する撓み誘導部２８Ａが形成されている。撓み誘導部２８Ａは、爪部２８の後端から前方に向かって少しずつ爪部２８の高さ寸法が増すように傾斜する面である。各爪部２８の前面には、図３に示すように、シールド筒部６２の後端に係止してシールドシェル６０の後方への移動を制限する移動制限部２８Ｂが設けられている。移動制限部２８Ｂは、延出部２９に対して略垂直をなして切り立つ面である。
【００２３】
＜ゴム栓３０＞
ゴム栓３０は、図６に示すように、内側に電線１０を挿通可能な略円筒状に形成されるとともに、その内周と外周には、それぞれ電線１０の外周面およびゴム栓嵌合部２６Ａの内周面に密着するように複数条のリップが膨出して設けられている。電線１０に嵌着されたゴム栓３０がゴム栓嵌合部２６Ａに嵌合されることで、電線１０の外周とゴム栓嵌合部２６Ａ（筒状部２７）の内周との間が液密に封止される。
【００２４】
ゴム栓３０をゴム栓嵌合部２６Ａに嵌合していない自由状態では、ゴム栓３０の外形寸法は、ゴム栓嵌合部２６Ａの内径よりも大きい寸法に設定されている。したがって、ゴム栓３０をゴム栓嵌合部２６Ａ内に嵌合した状態では、ゴム栓３０が弾性的に縮径変形させられる。このゴム栓３０の弾性復元力により、ゴム栓嵌合部２６Ａ及びゴム栓嵌合部２６Ａに直接的に連なるリテーナ嵌合部２６Ｂには、拡径変形させようとする反力が作用することになる。
【００２５】
＜リテーナ４０＞
リテーナ４０は合成樹脂製であり、一対の半割体４１が薄板状のヒンジ４２で連結されてなる。各半割体４１は、全体としてゴム栓３０の配列方向（幅方向）に細長い形状をなし、その幅方向における一端同士がヒンジ４２で連結されている。各半割体４１には、電線１０との干渉回避用の半円状の凹み部４３が形成され、一対の半割体４１は、凹み部４３に電線１０を嵌合させるようにして合体される。リテーナ４０は、一対の半割体４１が合体した状態でリテーナ嵌合部２６Ｂ内に嵌合される。リテーナ嵌合部２６Ｂに嵌合したリテーナ４０は、図３に示すように、その半割体４１の前面をゴム栓３０の後面に当接させる。このリテーナ４０の当接作用により、３つのゴム栓３０が後方へ遊動したりハウジング２０から離脱することを防ぐ。
【００２６】
リテーナ４０の外周面は、図６に示すように、筒状部２７の内周形状と対応する弧状をなす面（以下、弧状面４４と称する）が幅方向に並んだ形態とされている。リテーナ４０の外周面には、係止部５０を構成する３対の係止凸部５０Ｂが形成されている。３対の係止凸部５０Ｂは、リテーナ４０がリテーナ嵌合部２６Ｂに嵌合した状態で係止凹部５０Ａと係止するように、各弧状面４４に上下に分かれて一対ずつ設けられている。
【００２７】
係止凸部５０Ｂは、リテーナ４０の前端に位置して設けられている。係止凸部５０Ｂの前面は、リテーナ嵌合部２６Ｂにリテーナ４０を嵌合する際に、係止凸部５０Ｂを係止凹部５０Ａにスムーズに嵌合させやすくする傾斜面５２とされている。傾斜面５２は、係止凸部５０Ｂの前端から後方に向かって少しずつ係止凸部５０Ｂの突出寸法を増す傾斜をなしている。係止凸部５０Ｂの後面は、リテーナ嵌合部２６Ｂにリテーナ４０が嵌合すると、係止凹部５０Ａの後側の面に対して前後方向に係止する係止面５３とされている。係止面５３は、リテーナ４０の外周面に対して略垂直に切り立つ面である。リテーナ４０の係止凸部５０Ｂがリテーナ嵌合部２６Ｂの係止凹部５０Ａに嵌合して係止面５３がそれぞれ係止することで、リテーナ４０がハウジング２０に固定される。
【００２８】
＜シールドシェル６０＞
シールドシェル６０はアルミダイキャスト製であって、図１に示すように、コネクタ嵌合部２４を覆う板状部分を有するシールド板部６１と、嵌合筒部２６の外周面を覆う筒状をなすシールド筒部６２と、シールドシェル６０がハウジング２０に対して正規の位置に組み付けられるとハウジング２０のフランジ部２３に後方から突き当たった状態となる張出部６３と、図示しない金属製のケースに固定される固定部６４とを備えている。
【００２９】
シールド筒部６２は、横長の長円筒形をなして前後方向に開口している。シールド筒部６２は、嵌合筒部２６の略全体を覆う大きさとされている。シールド筒部６２の外周面には、３本の電線１０を一括してシールドする図示しない編組線の端部がカシメリング６８によってかしめ付けられる。シールド筒部６２には、シールドシェル６０がハウジング２０に組み付けられると、ハウジング２０の嵌合筒部２６の外周面に近接して配される変形規制部６５が設けられている。変形規制部６５については後ほど詳しく説明する。
【００３０】
張出部６３は、シールド筒部６２の前端に設けられ、シールド筒部６２の略全周にわたり外側に張り出す形態とされている。張出部６３の外形は横長の長方形状とされている。シールド板部６１は、ハウジング２０の下面側を全体的に覆う板状をなす底板部６１Ａと、ハウジング２０の側面側を全体的に覆う板状をなす側板部６１Ｂとを有している。底板部６１Ａは、張出部６３の下縁から略垂直をなして前方に屈曲された幅方向に長い長方形状をなしている。一対の側板部６１Ｂは、張出部６３の両側縁から略垂直をなして前方に屈曲された前後方向に長い長方形状をなしている。底板部６１Ａおよび側板部６１Ｂの前端は、ハウジング２０から前方に突出する端子金具１１よりも前側に至っている。
【００３１】
固定部６４は、シールド板部６１の前端に設けられている。固定部６４は、底板部６１Ａおよび一対の側板部６１Ｂに一ずつ設けられている。各固定部６４は、底板部６１Ａおよび一対の側板部６１Ｂから外側に略垂直に屈曲された形態とされ、各固定部６４には、前後方向（板厚方向）に貫通するボルト挿通孔６６が形成されている。ボルト挿通孔６６に挿通したボルトを図示しない金属製のケースに設けられたボルト締結孔に締め付けることで、シールドシェル６０がケースに固定される。
【００３２】
さて、シールド筒部６２には、嵌合筒部２６の拡径変形を防ぐための変形規制部６５が設けられている。変形規制部６５は、図８に示すように、シールド筒部６２の後端の開口縁に沿って内側に突出する平板状をなしている。変形規制部６５の板面は、シールド筒部６２の周面に対して略直角をなしている（図４参照）。変形規制部６５は、前後方向においてゴム栓嵌合部２６Ａと対応するように配置されている。変形規制部６５の突出端面は、図２に示すように、各筒状部２７の外周面に沿う弧状をなしている。変形規制部６５の突出端面の前後方向の寸法（つまり、変形規制部６５の板厚寸法）は、シールド筒部６２の厚さ寸法と同等の寸法とされている。
【００３３】
変形規制部６５は、嵌合筒部２６の外周面のうち、前後方向及び周方向において係止部５０に近接した位置に配されている。詳しくは、変形規制部６５は、図４に示すように、嵌合筒部２６の上面側に形成された係止凹部５０Ａの真上と、嵌合筒部２６の下面側に形成された係止凹部５０Ａの真下に配されている。変形規制部６５は、各係止凹部５０Ａのうちの後側寄りの位置に配されていて、係止凹部５０Ａと係止凸部５０Ｂとの係止面５３に近接している。つまり、変形規制部６５は、嵌合筒部２６の外周面における係止凹部５０Ａの開口領域の一部を塞いでいる。
【００３４】
変形規制部６５は、各ゴム栓嵌合部２６Ａに対応するように幅方向（左右方向）に分割して設けられている。変形規制部６５のうちハウジング２０の幅方向における中央に位置するゴム栓嵌合部２６Ａに対応して設けられた変形規制部６５（以下、第１変形規制部６５Ａと称する）は、筒状部２７の上面および下面に沿うように上下に一対が設けられている。また、ハウジング２０の幅方向における両端に位置するゴム栓嵌合部２６Ａに対応して設けられた変形規制部６５（以下、第２変形規制部６５Ｂと称する）は、筒状部２７の上面から下面にかけてその外側に連続して沿うように一続きに設けられている。
【００３５】
第１変形規制部６５Ａと第２変形規制部６５Ｂとの間には、ハウジング２０の爪部２８と係止するための爪係止部６７が設けられている。第１変形規制部６５Ａおよび第２変形規制部６５Ｂは、図８に示すように、爪係止部６７よりも径方向内側に突出している。第１変形規制部６５Ａおよび第２変形規制部６５Ｂの延び方向（シールド筒部６２の周方向）における両端部は他の部分よりも内側に突出している。
【００３６】
＜作用及び効果＞
次に、防水コネクタＣの組み付け手順の一例について説明する。まず、ハウジング２０にシールドシェル６０を組み付ける。シールド板部６１を前側に向けた姿勢で、シールド筒部６２の内部にハウジング２０の嵌合筒部２６を収めるようにして、シールドシェル６０をハウジング２０に対して後方から装着する。すると、シールドシェル６０の張出部６３がハウジング２０の爪部２８の撓み誘導部２８Ａに当接して延出部２９が若干内側に弾性撓みする。
【００３７】
そのままシールドシェル６０を前方に押し込むと、シールドシェル６０の爪係止部６７が爪部２８の撓み誘導部２８Ａに当接し、延出部２９をより内側に弾性撓みさせて爪部２８を乗り越え、その前方に至る。すると、延出部２９が弾性復帰し、シールドシェル６０の爪係止部６７に爪部２８が係止した状態になる。
【００３８】
このとき、シールドシェル６０の張出部６３がハウジング２０のフランジ部２３の後面に突き当たった状態になる。こうして、ハウジング２０に対して正規の位置に配されたシールドシェル６０は、ハウジング２０に設けられたフランジ部２３と爪部２８とによってシールド筒部６２が前後方向の移動を制限されることで、ハウジング２０に組み付け状態に保持される。
【００３９】
次に、電線１０を圧着した端子金具１１を端子収容室２１に挿入してランス２２に係合させる。そして、予め電線１０に外嵌しておいたゴム栓３０を、嵌合筒部２６に挿入してゴム栓嵌合部２６Ａに嵌合させる。この際、ゴム栓３０は、弾性的に縮径するように押し潰されながらゴム栓嵌合部２６Ａに嵌め込まれる。ここで、電線１０の径寸法が大きい場合等には特に、ゴム栓嵌合部２６Ａがゴム栓３０から受ける弾発力は大きくなり、嵌合筒部２６は外側に拡がるように変形しようとする。すると、嵌合筒部２６は、その外周面に近接して配された変形規制部６５に突き当たる。これにより、嵌合筒部２６は拡径変形することなく所定の形状に保持される。
【００４０】
ゴム栓３０をゴム栓嵌合部２６Ａに嵌合した後、リテーナ４０を、電線１０に装着した状態でリテーナ嵌合部２６Ｂに嵌合させる。嵌合の際には、嵌合筒部２６の後方からその内部にリテーナ４０を押し込む。すると、リテーナ４０の係止凸部５０Ｂに設けられた傾斜面５２が係止凹部５０Ａの後側に設けられた誘い込み面５１に当接し、比較的スムーズに係止凸部５０Ｂが誘い込み面５１を乗り越えて係止凹部５０Ａに係止する。このとき、嵌合筒部２６は、シールドシェル６０の変形規制部６５により外側に開くように変形することを規制され、所定の形状に保持されているからから、係止凸部５０Ｂと係止凹部５０Ａとの係り代は十分に確保される。こうして、リテーナ４０は、ハウジング２０から離脱することを確実に防がれた状態でハウジング２０に保持される。以上により、防水コネクタＣの組み付けが完了する。
【００４１】
本実施例の防水コネクタＣは、電線１０の端末部に固着された端子金具１１が収容される端子収容室２１が設けられたハウジング２０と、ハウジング２０を覆うシールドシェル６０とを有する。ハウジング２０に設けた嵌合筒部２６のゴム栓嵌合部２６Ａ内には、電線１０とハウジング２０とに密着することで端子収容室２１への液体の浸入を防ぐゴム栓３０が嵌合される。嵌合筒部２６のリテーナ嵌合部２６Ｂ内には、ゴム栓３０の後側に位置してゴム栓３０がハウジング２０から離脱することを防止するリテーナ４０が嵌合される。
【００４２】
リテーナ４０がリテーナ嵌合部２６Ｂ内に嵌合した状態では、リテーナ４０の外周面に形成した係止凸部５０Ｂと嵌合筒部２６の内周面に形成した係止凹部５０Ａとを係止させて構成される係止部５０により、リテーナ４０が離脱規制される。そして、シールドシェル６０には、嵌合筒部２６の外周面を覆うシールド筒部６２が設けられ、シールド筒部６２には、嵌合筒部２６の外周面に近接して配され嵌合筒部２６の変形を防ぐ変形規制部６５が設けられている。
【００４３】
この構成によれば、ハウジング２０のうちゴム栓３０が内嵌している嵌合筒部２６が、ゴム栓３０により拡径変形するような弾発力を受けても、嵌合筒部２６の拡径変形はシールドシェル６０の変形規制部６５によって防止される。したがって、リテーナ４０とハウジング２０との係止部５０における係り代が小さくならずに済み、リテーナ４０がハウジング２０から外れ易くなったり、外れてしまったりすることが防止される。
【００４４】
また、変形規制部６５は、シールド筒部６２の開口縁に沿って内側に突出する形状をなして設けられている。これにより、変形規制部６５がシールドシェル６０を補強する機能を発揮して、シールド筒部６２の開口縁の強度を増強するから、変形規制部６５自体の変形も規制される。
【００４５】
また、変形規制部６５は、嵌合筒部２６の外周面のうち係止部５０に近接した位置に配される。これにより、嵌合筒部２６のうち係止部５０付近の変形が直接的に防止されるから、リテーナ４０とハウジング２０との係止部５０の係り代が小さくなることを、より確実に防ぐことができる。
【００４６】
また、ハウジング２０には、複数室（３室）の端子収容室２１が設けられ、嵌合筒部２６のうちゴム栓３０が嵌合するゴム栓嵌合部２６Ａは、端子収容室２１に個別に対応するように分けて設けられ、係止部５０および変形規制部６５は、３つのゴム栓嵌合部２６Ａに対応して設けられている。これにより、各ゴム栓嵌合部２６Ａにおいて嵌合筒部２６の変形が防止されるから、各ゴム栓嵌合部２６Ａに対応して設けられた係止部５０における係り代が小さくなることを効果的に防ぐことができ、ハウジング２０からリテーナ４０が外れることを確実に防止できる。
【００４７】
＜他の実施例＞
本発明は上記記述及び図面によって説明した実施例に限定されるものではなく、例えば次のような実施例も本発明の技術的範囲に含まれる。
（１）上記実施例では、リテーナ４０に係止凸部５０Ｂが設けられ、嵌合筒部２６に係止凹部５０Ａが設けられているが、これに限らず、リテーナに係止凹部が設けられ、嵌合筒部に係止凸部が設けられていてもよい。
（２）上記実施例では、変形規制部６５は、係止凹部５０Ａの真上もしくは真下に配されるものとされているが、これに限らず、例えば、変形規制部は、係止凹部から前後方向または左右方向にずれた位置に配されてもよく、例えば、ゴム栓嵌合部の位置に配されるようにしてもよい。
（３）上記実施例では、ゴム栓３０は、電線１０に個別に嵌着されるものとされ、ゴム栓３０が嵌合するゴム栓嵌合部２６Ａは、端子収容室２１に対応して個別に分けて設けられているが、これに限らず、例えば、ゴム栓は、複数の電線を貫通させてその電線の周りを一括してシールする一括ゴム栓であっても良い。この場合、ゴム栓が嵌合するゴム栓嵌合部は、複数の端子収容室に連通して設けられていてもよい。
（４）上記実施例では、係止凹部５０Ａは嵌合筒部２６を内外方向に貫通する孔状とされているが、これに限らず、例えば、係止凹部は、嵌合筒部の内周面を凹ませた非貫通の形態であってもよい。
（５）上記実施例では、変形規制部６５は、シールド筒部６２の開口縁に沿って内側に突出する形状をなして設けられているが、これに限らず、変形規制部は、シールド筒部の開口縁から離れた位置に設けられていてもよい。
（６）上記実施例では、係止部５０および変形規制部６５は、３つのゴム栓嵌合部２６Ａの全てに対応するように設けられているが、これに限らず、係止部および変形規制部は、３つのゴム栓嵌合部の一部のみと対応するように設けられていてもよい。
（７）上記実施例では、ゴム栓３０をゴム栓嵌合部２６Ａに嵌合させる前に、ハウジング２０にシールドシェル６０を組み付けるものとしているが、これに限らず、ゴム栓をゴム栓嵌合部に嵌合させた後に、ハウジングにシールドシェルを組み付けるものとしてもよい。
【符号の説明】
【００４８】
Ｃ…防水コネクタ
１０…電線
１１…端子金具
２０…ハウジング
２１…端子収容室
２６…嵌合筒部
２６Ａ…ゴム栓嵌合部
３０…ゴム栓
４０…リテーナ
５０…係止部
６０…シールドシェル
６２…シールド筒部
６５…変形規制部
【図１】
0006037233.tif 000002
【図２】
0006037233.tif 000003
【図３】
0006037233.tif 000004
【図４】
0006037233.tif 000005
【図５】
0006037233.tif 000006
【図６】
0006037233.tif 000007
【図７】
0006037233.tif 000008
【図８】
0006037233.tif 000009